(57)【要約】【課題】店舗規模が小さい飲食店においても、精算作業の簡素化を図り、飲食スペースを広く確保し、食した料金を視覚的に把握可能とする。【解決手段】飲食店において、商品情報を書換え、記録可能なＩＤ媒体１２を内装させた精算用チップ１４を、記録された商品情報と対応する商品と共に客に提供し、ＩＤ媒体１２に記録された商品情報を読取り可能なハンディーターミナル１８にて、精算時に精算チップ１４のＩＤ媒体１２の商品情報を、読取り、この商品情報に基に精算することを特徴とする。  ハンディーターミナル１８に、印刷手段４６への送信機能、または／および記憶媒体である精算カード５０への書込機能、または／およびＰＯＳ１６への送信機能、を付設することにより、さらに精算作業性が向上する。【選択図】            図１
2004188178.tif 000002
【特許請求の範囲】
【請求項１】
店内で商品を提供する飲食店において、
商品の種類、料金等の商品情報を書換え、記録可能なＩＤ媒体(12)を内装させてなる精算用チップ(14)を、記録された商品情報と対応する商品と共に客に提供し、
ＩＤ媒体(12)に記録された商品情報を読取り可能なハンディーターミナル(18)に、
読取った商品情報を、印刷手段(46)へ送信する機能、または／および記憶媒体である精算カード(50)へ書込む機能、または／およびＰＯＳ(16)へ送信する機能を、
付設し、
精算時に飲食後の精算用チップ(14)のＩＤ媒体(12)に記録された商品情報を、ハンディーターミナル(18)にて読取り、
この商品情報を、印刷手段(46)に送信し、レシートに印刷し、または／および
精算カード(50)へ書込み、または／および
ＰＯＳ(16)へ送信し、
レシートに印刷された商品情報、精算カード(50)に書込まれた商品情報または送信された商品情報、を基に精算することを特徴とする飲食店における精算方法。
【請求項２】
商品と共に提供する精算用チップ(14)を、各客席部に設置した外部から視認可能な収納容器(36)に、順次収納させることにより、収納容器(36)内の精算用チップ(14)の個数を確認可能としたことを特徴とする請求項１記載の飲食店における精算方法。
【請求項３】
店内で商品を提供する飲食店において、
商品と共に提供される、商品の種類、料金等の商品情報を書換え、記録可能なＩＤ媒体(12)を内装させてなる精算用チップ(14)と、
精算用チップ(14)のＩＤ媒体(12)に記録された商品情報を読取る手段(22)と、読取った商品情報を、印刷手段(46)へ送信する手段、または／および記憶媒体である精算カード(50)へ書込む手段(52)、または／およびＰＯＳ(16)へ送信する手段(24)と、を備えてなるハンディーターミナル(18)と、
からなる飲食店における精算装置。
【請求項４】
精算用チップ(14)を収納させる、外部から視認可能な収納容器(36)を各客席部に設置させ、
この収納容器(36)に精算用チップ(14)を順次収納させることにより、収納容器(36)内の精算用チップ(14)の個数を確認可能としたことを特徴とする請求項３記載の飲食店における精算装置。
【発明の詳細な説明】
【技術分野】
【０００１】
本発明は、主に串物類を提供する飲食店において、商品の精算を容易とした精算方法およびその装置に関するものである。
【背景技術】
【０００２】
従来、店舗規模が小さく、焼き鳥、串カツ、おでん等の串物類等の商品を個別に提供する飲食店において、客への商品提供時にその都度、その客のレシートにチェック記号を付して、精算時にそのレシートに記載されたチェック記号に基づき料金計算をし、客からその料金を徴収していた。
【０００３】
また、提供する商品を、その料金別に色彩、例えば色あるいは模様の異なる串に刺して提供することにより、皿等の食器に載置された客が食した串を従業者が色彩を確認の上、人手により計算し、その料金を客に提示、または肉声により知らせ、客からその料金を徴収していた。
【０００４】
また、ビール等の飲み物、みそ汁等の汁物についても、その客のレシートに、チェック記号を付し、この料金を計算していた。
【０００５】
このような商品の料金計算を機械的に行うため、商品皿に商品の種類、料金等の商品情報を記録したＩＤ媒体を内装させ、このＩＤ媒体に記録された商品情報をスキャナーにより読取り、料金計算することも知られている（特許文献１、２参照）。
【０００６】
また、店舗規模が大きく、商品を印刷したメニュー表、店内に貼付したメニューから好みの商品を注文するレストラン、居酒屋等の飲食店において、メニュー表、メニューによる客からの注文は、従業者の各ハンディーターミナルからコントローラを介して厨房端末、ＰＯＳへそのオーダー情報を送信し、ＰＯＳにて精算するシステムにより会計処理が行われていた（特許文献３−１０参照）。
【０００７】
【特許文献１】特許第２９２８８０２号公報（第３−４頁、図１、２、４、５）
【特許文献２】特許第２８４０２２９号公報（第３−４頁、図１、７、８）
【特許文献３】特開２００２−３１２８５７号公報（第２−３頁、図１−３）
【特許文献４】特開２００２−２４５５５３号公報（第３−４頁、図１−３）
【特許文献５】特開２００２−１２３８７０号公報（第３−４頁、図１−２）
【特許文献６】特開２００２−１２３５８７号公報（第２−４頁、図１−４）
【特許文献７】特開２００２−７４５２４号公報（第３−１１頁、図１−１２）
【特許文献８】特開平１１−１７５６２０号公報（第２−３頁、図１−３）
【特許文献９】特開平１１−１０２３９７号公報（第２−４頁、図１−３）
【特許文献１０】特開平１０−１６２０６０号公報（第５−９頁、図１−３、８、１１、１４、１７）
【発明の開示】
【発明が解決しようとする課題】
【０００８】
従来、店舗規模が小さく、串物類を提供する飲食店において、人手により料金計算をしていたため、精算作業性が極めて良くなく、この精算作業性を向上できるＰＯＳによる会計処理システムは設備費が高価であるため、導入することが非常に困難であった。
【０００９】
また、飲食後、串の本数により料金を精算する飲食店においては、串を載せた食器がそのままカウンター上に放置される都合上、カウンター上面の飲食スペースが狭くなり、この狭い飲食スペースにて客は飲食を強いられ、ゆったりと飲食することができなかった。
【００１０】
また、商品を載置させる商品皿に内装させたＩＤ媒体をスキャナーにより読取り精算するシステムを採用している回転飲食台にて商品を提供する飲食店においても、システム設備費がＰＯＳによるシステムに比べ安価ではあるが、提供する商品皿の大きさが直径約１５センチ前後と大きく、また飲み物、汁物類、その他のオーダー商品もその料金に応じた商品皿と共に提供される都合上、カウンター上面の商品皿の占有面積が増大し、飲食スペースが狭くなり、ゆったりと飲食することができなかった。
【００１１】
また、焼き鳥等の串物類を提供する飲食店、回転飲食台にて商品を提供する飲食店のいずれにおいても、客が現在までに食した料金を確認するためには、串の本数、飲み物の本数、商品皿の個数をそれぞれ料金別に計算しなければならず、瞬時にその料金を把握することが困難であった。
【００１２】
本発明は、店舗規模が比較的小さい飲食店においても、精算作業の簡素化を図り、飲食スペースを広く確保し、食した料金を視覚的に把握することができ、導入が容易な精算方法およびその装置を提供することを目的とするものである。
【課題を解決するための手段】
【００１３】
本発明は、店内で商品を提供する飲食店において、商品の種類、料金等の商品情報を書換え、記録可能なＩＤ媒体を内装させてなる精算用チップを、記録された商品情報と対応する商品と共に客に提供し、ＩＤ媒体に記録された商品情報を読取り可能なハンディーターミナルに、読取った商品情報を、印刷手段へ送信する機能、または／および記憶媒体である精算カードへ書込む機能、または／およびＰＯＳへ送信する機能を、付設し、精算時に飲食後の精算用チップのＩＤ媒体に記録された商品情報を、ハンディーターミナルにて読取り、この商品情報を、印刷手段へ送信し、シートに印刷し、または／および精算カードへ書込み、または／およびＰＯＳへ送信し、レシートに印刷された商品情報、精算カードに書込まれた商品情報または送信された商品情報、を基に精算することを特徴とするもの、
または商品と共に提供する精算用チップを、各客席に設置した外部から視認できる収納容器に、順次収納させることにより、収納容器内の精算用チップの個数を確認可能としたことを特徴とするものである。
【発明の効果】
【００１４】
本発明に係る飲食店における精算方法およびその装置によれば、商品の種類、料金等の商品情報を書換え、記録可能なＩＤ媒体を内装させてなる精算用チップを、記録された商品情報と対応する商品と共に客に提供し、精算時にハンディーターミナルにより精算用チップのＩＤ媒体に記録された商品情報を読取り、この商品情報を基に、精算するため、飲食店、例えば店舗面積が比較的小さく、商品として串物類等を個別に提供する飲食店において、従来行っていたレシートへのチェック記号を付す作業、食した串の本数確認による精算作業を省略し、料金精算を簡素化できる。
【００１５】
また、回転飲食台にて商品を提供する飲食店で使用していたＩＤ媒体を内装させた商品皿に比べ極めて小さい精算用チップを、商品皿で提供する商品以外のビール、汁物等の商品を提供する際に使用することにより、コストを激減でき、さらにカウンター上面の飲食スペースを広く確保し、客はゆったりと飲食することができ、ひいては売上を向上させることができる。
【００１６】
また、商品と共に提供する精算用チップを、外部から視認できる容器内に順次収納させることにより、容器内の精算用チップの個数を客から確認可能とし、客は現在までの飲食料金の概算を視覚的に把握することができる。
【発明を実施するための最良の形態】
【００１７】
店舗規模が比較的小さい飲食店においても、精算作業の簡素化を図り、カウンター上面の飲食スペースを広く確保する目的を、商品情報を記録した精算用チップと、精算用チップに記録された商品情報を読取り、その情報を印刷手段に送信可能、精算カードに書込可能、ＰＯＳへ送信可能なハンディーターミナルとにより、実現させた。
【実施例１】
【００１８】
本発明に係る飲食店における精算装置は、図１〜図７に示すように、商品の種類、料金等の商品情報を書換え、記録可能なＩＤ媒体１２を内装させてなる精算用チップ１４と、精算用チップ１４のＩＤ媒体１２に記録された商品情報の読取り機能が付設されたハンディーターミナル１８と、商品情報を基に会計処理するＰＯＳ１６と、ハンディーターミナル１８により読取られた商品情報をＰＯＳ１６へ送信し、その情報を管理するコントローラ２０と、から構成されており、以下にその詳細を説明する。
【００１９】
本発明に係る装置を設置する飲食店としては、店舗規模が小さく、焼き鳥、串カツ、おでん等の串物類等の商品を個別に提供する飲食店である。
【００２０】
本例において、精算用チップ１４の形状は直径約３センチのコイン型であり、内装させたＩＤ媒体１２に記録された商品情報に対応付けて少なくともその表面に色彩あるいは模様（図示略）を施してある（図２参照）。
【００２１】
ハンディータミナル１８には、精算用チップ１４のＩＤ媒体１２に記録された商品情報を読取る読取手段２２と、読取った商品情報をコントローラ２０に送信する送信手段２４と、が配備されている（図４参照）。
【００２２】
また、ＩＤ媒体１２に記録された商品情報を読取る読取手段２２はスキャナーであり、精算用チップ１４のＩＤ媒体１２に記録された商品情報を非接触にて読取る。
【００２３】
さらに、ハンディーターミナル１８には、その上面にキー操作部２６、液晶表示による表示部２８が、側面に電源スイッチ３０、読取スイッチ３２が、それぞれ配設され、従業者が片手で把持し、操作できる大きさとし、さらに精算時に精算料金を印刷する機能を付設させておくことが望ましい（図３参照）。
【００２４】
また、コントローラ２０には、ハンディーターミナル１８にて読取った商品情報をＰＯＳ１６へ送受信するためのアンテナ３４が配備され、店内において各情報、データが無線ＬＡＮにより送受信される。
【００２５】
精算用チップ１４を収納させる、外部から視認できる収納容器３６を各客席部に設置させてある。
【００２６】
本例において、収納容器３６は、図５、図６に示すように、外部から視認できる素材、例えば樹脂により成形された、下方が開口された円筒体３８と、円筒体３８の上部外周に開口させたチップ挿入溝４０と、円筒体３８の下方開口部に開閉可能に止着させた閉塞板４２と、から構成されている。
【００２７】
また、円筒体３８の直径は精算用チップ１４よりやや大径であればよく、閉塞板４２には客が容易に開放できないよう施錠機構を装備させておくことが望ましい。
【００２８】
この収納容器３６に商品提供時に、従業者がその都度商品に応じた商品情報がＩＤ媒体１２に記録された精算用チップ１４を、順次チップ挿入溝４０から挿入することにより、挿入された精算用チップ１４が収納容器３６の下方から順次積上げられる。
【００２９】
このため、収納容器３６内の精算用チップ１４の積上高さを確認することにより、客はその料金の概算を視覚的に瞬時に把握することができる。
【００３０】
なお、図中４４はカウンターを示す。
【００３１】
本発明に係る装置を使用して、客が食した串物類等の商品の料金を、精算する方法を以下に詳述する。
【００３２】
まず、精算用チップ１４のＩＤ媒体１２に記録された種類、料金等の商品情報を個別にコントローラ２０に記憶させる。
【００３３】
この際、精算用チップ１４には少なくとも表面に色彩または模様が施されているため、この色彩または模様と商品の種類または料金を対応付けることにより、提供する商品の種類、料金に応じて精算用チップ１４を決定する。
【００３４】
次に、客から注文された商品を、従業者がその商品に対応した商品情報が記録された精算用チップ１４と共に提供する。
【００３５】
この際、従業者は商品をその客の元に届け、提供した商品に対応した精算用チップ１４を、その客の客席部に設置された収納容器３６に挿入する。
【００３６】
また、客に商品を複数一度に提供した場合でも、提供した商品の合計金額に応じた精算用チップ１４を１個使用するだけでよく、精算用チップ１４の使用個数を削減できる。
【００３７】
客は提供された商品を食した後、食した串を提供された皿等の食器上に載置しておく。
【００３８】
この際、客が食した串が載置された食器は、随時回収可能であり、従来のように串の本数計算により料金を精算する場合と比べ、カウンター上の食器を回収することによりカウンター上面の飲食スペースを広く確保し、このため客は狭いスペースで飲食を強いられることがなく、ゆったり飲食することができ、飲食スペースを有効活用することができる。
【００３９】
また、従業者は提供した商品をその客のレシートにその都度チェック記号を付す作業を行う必要がない。
【００４０】
次に、客は飲食後、従業者へ精算を要求する。
【００４１】
次に、精算要求を受けた従業者は、精算客の客席部上の収納容器３６内の精算用チップ１４のＩＤ媒体１２に記録された商品情報を、ハンディーターミナル１８の読取手段２２にて読取り、この商品情報をコントローラ２０を介してＰＯＳ１６へ送信する（図１、図７参照）。
【００４２】
この際、ＰＯＳ１６は受信した商品情報を基に料金を精算し、その料金を直ちにハンディーターミナル１８へ送信する。
【００４３】
このため、精算要求を受けた従業者は、商品と共に提供した、その客の収納容器３６内の精算用チップ１４をハンディーターミナル１８にて読取った後、直ちにハンディーターミナル１８の表示部２８に表示された精算料金を確認し、この料金を肉声、あるいは付設の印刷機能により印刷して客に知らせる。
【００４４】
次に、客はこの精算料金をレジ（会計）あるいはその場で支払う。
【００４５】
このように、飲食店、主に店舗面積が小さく、商品として串物類等を個別に提供する飲食店において、従来商品提供時にその都度行っていたレシートへのチェック記号を付す作業、食した串の本数確認による精算作業を省略し、商品の料金を、精算用チップ１４をハンディーターミナル１８にて読取ることにより、精算するため、精算作業を簡易化でき、ひいてはコスト削減を図ることができる。
【００４６】
また、回転飲食台にて商品を提供する飲食店で使用していたＩＤ媒体を内装させた商品皿に比べ極めて小さい精算用チップ１４を使用するため、コストを低減でき、さらに飲食済食器を随時回収することにより、カウンター上面の飲食スペースを広く確保し、客はゆったりと飲食することができ、ひいては売上を向上させることがでる。
【００４７】
また、商品と共に提供する精算用チップ１４を、外部から視認できる収納容器３６内に順次収納させることにより、収納容器３６内の精算用チップ１４の個数を客からも確認可能とし、客は現在までの飲食料金の概算を視覚的に瞬時に把握することができる。
【実施例２】
【００４８】
本装置の別の例が、図８、９に示してある。
【００４９】
本例の装置は、実施例１のＰＯＳ１６およびハンディーターミナル１８のＰＯＳとの送受信機能を省略し、ハンディーターミナル１８に印刷手段４６を内装させたものであり、さらにＰＯＳを使用しない都合上、会計処理等の演算機能４８を付設してある。
【００５０】
本例は精算時のみ実施例１の使用形態と相違するため、この精算工程のみを以下に説明する。
【００５１】
客からの精算要求により、精算要求を受けた従業者は、精算客の客席部上の収納容器３６内の精算用チップ１４のＩＤ媒体１２に記録された商品情報を、ハンディーターミナル１８の読取手段２２にて読取り、この商品情報を演算機能４８により演算し、この合計金額をその内訳とともに、印刷手段４６にてレシートに印刷して排出する。
【００５２】
この際、読取手段２２により読取られた商品情報が、演算機能４８により演算された合計金額情報として、印刷手段４６に送信されることとなる。
【００５３】
このレシートを客に提示し、その場で料金精算するか、あるいはレシートを客に渡し、客がこのレシートを持って会計へ行き、会計にて精算する。
【００５４】
このため、精算用チップ１４とハンディーターミナル１８とにより精算作業が完了し、システムが極めて簡易となるばかりか、無線ＬＡＮも不要となり、コストも大幅に削減することができ、本システムよりスムーズに導入することが可能となる。
【実施例３】
【００５５】
本装置の別の例が、図１０〜１２に示してある。
【００５６】
本例の装置は、実施例１とほぼ同様であり、ハンディーターミナル１８のコントローラ２０（ＰＯＳ１６）との送信機能を省略し、ハンディーターミナル１８に、精算時に読取った、精算用チップ１４のＩＤ媒体１２に記録された商品情報を記憶媒体である精算カード５０へ書込む書込手段５２を、内装させ、さらにＰＯＳ１６に精算カード５２に書込まれた商品情報を読出す読出手段５４を付設してある。
【００５７】
本例は精算時のみ実施例１の使用形態と相違するため、精算工程のみを以下に説明する。
【００５８】
客からの精算要求により、精算要求を受けた従業者は、精算客の客席部上の収納容器３６内の精算用チップ１４のＩＤ媒体１２に記録された商品情報を、ハンディーターミナル１８の読取手段２２にて読取り、この商品情報を書込手段５２により精算カード５０へ書込み、この精算カード５０を客に渡す。
【００５９】
客はこの精算カード５０を持って会計まで行き、会計にてＰＯＳ１６の読出手段５４により精算カード５０に書込まれた商品情報を基に、会計処理し、精算する。
【００６０】
このため、ハンディーターミナル１８が読取った商品情報をコントローラ２０を介してＰＯＳ１６へ送信する際に生じていた、同時に多量の商品情報がＰＯＳへ送信された場合の客の精算順違いによる精算間違いが起こる等の弊害が、一切なく、精算カード５０による各客の精算をより確実に行うことができる。
【実施例４】
【００６１】
収納容器３６の別の例が、図１３に示してある。
【００６２】
本収納容器３６は、実施例１の収納容器のチップ挿入溝４０を、容器本体３８の上面に開口させたものである。
【００６３】
本例の使用方法は前例と同様であるため、説明は省略する。
【実施例５】
【００６４】
また、収納容器３６のさらに別の例が、図１４、図１５に示してある。
【００６５】
本収納容器３６は、開閉可能な矩形のケース本体５６の上板にチップ挿入溝５８を開口させ、このケース本体５６をカバー体６０により被覆させてなるものである。
【００６６】
本例の使用形態を以下に説明する。
【００６７】
収納容器３６は、予めカバー体６０によりケース本体５６を被覆させて、各客席部に設置しておく。
【００６８】
この際、カバー体６０の表面にメニューを記載することにより、メニュー表として使用することができるばかりか、各種印刷を施すことにより、客に精算用チップ１４を収納させる容器と知られることがなく、インテリア小物としても使用することができる。
【００６９】
客への商品提供と共に、精算用チップ１４を収納容器３６に挿入する。
【００７０】
このチップ挿入作業を見て初めて客はこの容器が精算用チップ１４を収納させる容器であることを理解し、客はカバー体６０を開くことにより、現在までの料金を精算用チップ１４の個数により瞬時に確認することができるばかりか、この精算用チップ１４の個数を他の客から見られないようにカバー体６０により被覆することにより、快く食事を楽しむことができる。
【００７１】
なお、前記全例は、店舗規模が小さく、串物類を提供する飲食店における例であるが、メニュー表、メニューにより客からの発注された商品を提供する店舗規模が大きい飲食店においても採用することができ、その際にはハンディーターミナル１８にオーダー情報入力手段を付設し、厨房端末を設置することにより、従来のＰＯＳによるシステムと同様に使用することができることは自明である。
【００７２】
また、回転飲食台により商品を提供する飲食店にて本装置、方法を使用する際には、従来の如くビール等の飲み物、汁物類等の商品提供時にその種類、料金に応じた商品皿を提供するのに代えて、商品皿に比べ極めて小さな精算用チップ１４を提供するため、カウンター上面の飲食用スペースを広く確保し、客はゆったり飲食することができるばかりか、ハンディーターミナル１８に演算機能４８を内装させることにより、スムーズに導入でき、さらに商品皿が多く積上られた場合には、その料金に対応した精算用チップ１４と適宜交換することにより、飲食スペースをより広く確保することができる。
【００７３】
また、精算用チップ１４には、装着されたＩＤ媒体１２に記録された商品情報に応じて色彩あるいは模様が施され、この色彩あるいは模様と商品情報とを対応付けて商品と共に提供するものであるが、各精算用チップ１４の色彩あるいは模様をすべて同一としても、ハンディーターミナル１８による精算用チップ１４のＩＤ媒体１２に記録された商品情報を読取ることにより精算ができるため、精算用チップ１４の使用形態は特に限定されることはない。
【００７４】
また、ハンディーターミナル１８の表示部２８に表示された精算料金を、付設の印刷機能により印刷することが望ましいが、図８の二点鎖線で示すように、ハンディーターミナル１８とは別体の印刷機器６２にて印刷することは自由である。
【００７５】
また、ハンディーターミナル１８に表示部２８を配設させなくても、精算料金をＰＯＳ１６、その他の表示モニターに表示し、その料金をレジ（会計）にて客に知らせることは自明である。
【００７６】
また、ハンディーターミナル１８に印刷手段４６を内装させた実施例２において、読取った商品情報を演算機能４８により演算された料金を肉声にて客に伝え、料金精算することにより、印刷手段４６を省略できることは自明である。
【００７７】
また、ハンディーターミナル１８をＰＯＳ１６に有線接続しておき、精算時に客あるいは従業者が精算用チップ１４を収納した収納容器３６をＰＯＳ１６の設置してあるレジ（会計）まで持運び、レジにてハンディーターミナル１８により収納容器３６内の精算用チップ１４を読取り、精算できることは自明である。
【００７８】
また、ハンディーターミナル１８に、読取った商品情報の、印刷手段への送信機能、精算カード５０への書込機能、またはＰＯＳ１６への送信機能、をそれぞれ組合わせて付設することは自由である。
【００７９】
また、精算用チップ１４のＩＤ媒体１２に記録された商品情報は適宜書換え使用できることは自明である。
【産業上の利用可能性】
【００８０】
本発明に係る飲食店における精算方法および装置は、寿司のように皿上に載置させた状態で提供する、あるいは丼物、麺類等のように容器内に飲食物を入れた状態で提供する飲食店においても、利用することができる。
【図面の簡単な説明】
【００８１】
【図１】本発明に係る飲食店における精算装置の全体図。
【図２】精算用チップを示す、（イ）は正面図、（ロ）は側面図。
【図３】ハンディーターミナルの斜視図。
【図４】同、構成ブロック図。
【図５】収納容器を示す、（イ）は正面図、（ロ）は縦断面図。
【図６】収納容器の設置状況を示す斜視図。
【図７】ハンディーターミナルによる精算用チップの読取状況を示す斜視図。
【図８】実施例２の精算装置の全体図。
【図９】同、構成ブロック図。
【図１０】実施例３のハンディーターミナルの構成図。
【図１１】同、構成ブロック図。
【図１２】同、ＰＯＳレジの構成図。
【図１３】実施例４の収納容器を示す、（イ）は正面図、（ロ）は縦断面図。
【図１４】実施例５の収納容器を示す、（イ）は正面図、（ロ）は平面図。
【図１５】同、カバー体開放状態を示す正面図。
【符号の説明】
【００８２】
１２  ＩＤ媒体
１４  精算用チップ
１６  ＰＯＳ
１８  ハンディーターミナル
２２  読取手段
２４  送信手段
３６  収納容器
４６  印刷手段
５０  精算カード
５２  書込手段
５４  読出手段
【図１】
2004188178.tif 000003
【図２】
2004188178.tif 000004
【図３】
2004188178.tif 000005
【図４】
2004188178.tif 000006
【図５】
2004188178.tif 000007
【図６】
2004188178.tif 000008
【図７】
2004188178.tif 000009
【図８】
2004188178.tif 000010
【図９】
2004188178.tif 000011
【図１０】
2004188178.tif 000012
【図１１】
2004188178.tif 000013
【図１２】
2004188178.tif 000014
【図１３】
2004188178.tif 000015
【図１４】
2004188178.tif 000016
【図１５】
2004188178.tif 000017